【事件の表示】
　特願２０１７−５１２８「可変焦点型液体充填レンズ器械」拒絶査定不服審判事件〔平成２９年３月３０日出願公開，特開２０１７−６２５１８〕について，次のとおり審決する。
【結　論】
　本件審判の請求は，成り立たない。
【理　由】
第１　手続等の経緯
　特願２０１７−５１２８号（以下「本件出願」という。）は，平成２７年３月４日に出願された特願２０１５−４２８４５号（以下「親出願」という。）の一部を新たな特許出願としたものであり，親出願は，２０１０年２月１１日（パリ条約による優先権主張外国庁受理　２００９年２月１３日　米国）を国際出願日とする特願２０１１−５５０２１６号の一部を新たな特許出願としたものである。
　本件出願の手続等の経緯の概要は，以下のとおりである。
平成２９年　２月１５日付け：上申書
平成２９年　２月１５日付け：手続補正書
平成２９年１０月３０日付け：拒絶理由通知書
平成３０年　５月　７日付け：意見書
平成３０年　５月　７日付け：手続補正書
平成３０年　８月１５日付け：拒絶査定（以下「原査定」という。）
平成３０年１２月２０日付け：審判請求書
平成３０年１２月２０日付け：手続補正書
平成３１年　１月２９日付け：手続補正書（審判請求書の補正）
平成３１年　４月２６日付け：上申書
　
第２　補正の却下の決定
［補正の却下の決定の結論］
　平成３０年１２月２０日にされた手続補正（以下「本件補正」という。）を却下する。
　
［理由］
　１　補正の内容
　本件補正により，特許請求の範囲の請求項１〜請求項３の記載は，次のとおり補正された（下線は，補正箇所である。）。
「【請求項１】
　可変焦点光学器械であって，
　前面及び後面を備えた硬質の湾曲した透明な光学コンポーネントと，
　２つのキャビティを構成するように前記硬質光学コンポーネントの周囲に取り付けられた２枚の透明な伸張性メンブレンと，を有し，第１のキャビティは前記硬質光学コンポーネントと第１のメンブレンの間であり，第２のキャビティは前記第１のメンブレンと第２のメンブレンの間であり，
　前記各キャビティを満たす可変量の流体と，
　追加の流体を収容していて，少なくとも１つの前記キャビティと流体連通状態にある第１のリザーバとを有し，前記第１のリザーバは，力又は衝撃に応答して少なくとも１つの前記キャビティ内への流体の注入又は少なくとも１つの前記キャビティからの流体の抜き出しをするように構成され，
　追加の流体を収容していて，少なくとも１つの前記キャビティと流体連通状態にある第２のリザーバを有し，前記第２のリザーバは，力又は衝撃に応答して少なくとも１つの前記キャビティ内への流体の注入又は少なくとも１つの前記キャビティからの流体の抜き出しをするように構成され，
　前記硬質光学コンポーネントの前記前面及び前記硬質光学コンポーネントの前記後面は同一方向に湾曲され，
　前記前面と前記後面の交差部が前記硬質光学コンポーネントの周方向エッジであるように，前記前面の曲率半径は前記後面の曲率半径よりも小さい，可変焦点光学器械。
　
【請求項２】
　前記第１のリザーバと
，前記第１の
及び前記第２のキャビティのうちの１つ又は複数と
　
【請求項３】
　前記第２のリザーバと
，前記第１の
及び前記第２のキャビティのうちの１つ又は複数と
　
　２　新規事項違反
　(1) 本件補正後発明３
　本件補正により，本件出願の請求項３に係る発明（以下「本件補正後発明３」という。）は，第１のリザーバと，第１のキャビティ及び第２のキャビティのうちの複数（すなわち，双方）を流体連通させる第１の連通チャネル，並びに，第２のリザーバと，第１のキャビティ及び第２のキャビティのうちの複数（すなわち，双方）を流体連通させる第２の連通チャネルを有する態様（以下「２対２で連通する態様」という。）を具備するものとなった。
　そこで，このような補正が本件出願当初の明細書，特許請求の範囲又は図面（以下「出願当初明細書等」という。）に記載された事項の範囲内においてしたものであるかについて，以下，検討する。
　
　(2) 出願当初明細書等の記載
　複数のリザーバと複数のキャビティを流体連通させる連通チャネルの態様に関して，出願当初明細書等には，以下の記載がある。なお，下線は当合議体が付したものであり，特に判断に関係する箇所を示す。
　ア　「【特許請求の範囲】
【請求項１】
　可変焦点光学器械であって，
　硬質の湾曲した透明な光学コンポーネントと，
　前記硬質光学コンポーネントとの間にキャビティを構成するよう前記硬質光学コンポーネントの周囲に取り付けられた少なくとも１枚の透明な伸張性メンブレンと，
　前記キャビティを満たす可変量の流体と，
　追加の流体を収容していて，前記キャビティと流体連通状態にあるリザーバとを有し，前記リザーバは，力又は衝撃に応答して前記キャビティ内への流体の注入又は前記キャビティからの流体の抜き出しを可能にするよう動作可能である，可変焦点光学器械。
…(省略)…
【請求項１１】
　２つのキャビティを構成するよう前記硬質光学コンポーネントの周囲に取り付けられた２枚の透明な伸張性メンブレンを有し，前記キャビティのうちの第１のキャビティは，前記硬質光学コンポーネントと前記２枚のメンブレンのうちの第１のメンブレンとの間に構成され，第２のキャビティは，第１のメンブレンと第２のメンブレンとの間に構成され，
　前記キャビティの各々を満たす可変量の流体を有し，
　
前記リザーバは，前記キャビティのうちの一方と流体連通状態にある
　
　イ　「【００１５】
　他の実施形態では，本発明は，２つのキャビティを構成するよう硬質光学コンポーネントの周囲に取り付けられた２枚のメンブレン，キャビティの各々を満たす可変量の流体及び
キャビティのうちの少なくとも一方と流体連通状態にあるリザーバ
　
　ウ　「【００３８】
　使用にあたり，少なくとも１枚のレンズ２０を装用者により使用されるオフサルミック用途向けに設計された１本の眼鏡又は眼鏡フレーム内に嵌め込む。図１Ｂに示されているように，輪郭形状で見て，レンズ２０により，ユーザは，前側光学部品２１，中間光学部品２５及び後側光学部品３５の全てを通して見ることができ，これら部品は，一緒になって，前側光学部品２１だけよりもレンズ２０の中心のところに厚い輪郭形状を提供すると共に強力な老視矯正をもたらす。或る特定の実施形態では，
装用者には，中間光学部品２５内の流体２４の量又は後側光学部品３５内の流体３４の量又はこれら両方内の流体の量を調整し，それによりレンズ２０の屈折力を調節することができる能力が与えられる。
フレームは，流体２４のリザーバ若しくは流体３４のリザーバ又はこれら両方及びそれぞれのリザーバをレンズ２０の中間光学部品２５又は後側光学部品３５に連結する流体ラインを備えている。
装用者が中間光学部品２５及び後側光学部品３５内のそれぞれの流体２４及び流体３４の量を自分で調整して流体２４及び流体３４をそれぞれのリザーバ内に動かし又はそのリザーバから追い出して中間光学部品２５及び後側光学部品２５（当合議体注：「２５」は「３５」の誤記である。）内に入れ，それにより必要に応じてレンズ２０の屈折力を調整できるようにする１つ又は２つ以上のアクチュエータ又は調整機構体を更に有する。
　
　エ　「【００４２】
　前側光学部品１及びメンブレン１３は，図２の分解組み立て図で見え，前側光学部品１とメンブレン１３との間に形成されたキャビティと流体連通状態にあるリザーバ６が示されている。簡単にするために，本明細書において，図２を１つの流体光学部品を備えたレンズ１０の実施形態に関して説明する。他の実施形態では，
例えば図１Ｂのレンズ２０において眼鏡１が２つ以上の流体光学部品を有する場合には，各々がそれぞれのキャビティと流体連通状態にある２つ以上のリザーバが必要になる。
　
　オ　「【００４５】
　例えば図１Ｂのレンズ２０に設けられた２つ以上の流体光学部品を備える眼鏡１の実施形態では，各液体レンズキャビティは，好ましくは，独特のリザーバを備え，各液体レンズキャビティは，好ましくは，独特のリングを備え，その結果，液体チャネルは，各キャビティについて分離状態のままである。」
（当合議体注：「独特の」は「個々の」の意味と解される。）
　
　カ　図１Ｂ
　
　キ　図２
　
　(3) 当合議体の判断
　出願当初の特許請求の範囲の請求項１１の記載は，リザーバが２つのキャビティの一方と流体連通状態にあることを特定するものであるから，２対２で連通する態様を，むしろ否定するものである。
　出願当初の明細書の【００１５】の，下線を付した箇所の記載は，リザーバが，２つのキャビティと連通する態様を示唆するものではあるが，２対２で連通する態様までは示唆しない。
　【００３８】の，最初の下線を付した箇所の記載は，装用者が，２つのキャビティの一方又は双方の流体の量を調整できることを示唆するものではあるが，２対２で連通する態様までは示唆しない。
　【００３８】の，２番目の下線を付した箇所の記載は，「中間光学部品２５又は後側光学部品３５に連結する」というものである（「又は」であり，「及び」でも，「及び／又は」でもない）から，この記載は，２対２で連通する態様を，むしろ否定するものである。
　【００３８】の，３番目の下線を付した箇所の記載は，２つのリザーバと２つのキャビティが１対１で連通する態様を示唆するものであるから，２対２で連通する態様を，むしろ否定するものである。【００４２】及び【００４５】の記載も，同様である。
　
　以上のとおりであるから，２対２で連通する態様が，出願当初明細書等に記載されていたということはできない。また，このような態様が，本件出願の出願時の当業者における技術常識であったということもできない。
　そして，２対２で連通する態様とした場合には，例えば，[A]第１のリザーバ及び第２のリザーバが共同して，一方又は他方のキャビティを大きく膨らませること，[B]第１のリザーバと第２のリザーバの負荷を均一に制御すること，[C]一方のリザーバが故障したときに，他方のリザーバがバックアップすることが可能となると考えられる。
　そうしてみると，本件補正は，当業者によって，出願当初明細書等のすべての記載を総合することにより導かれる技術的事項との関係において，新たな技術的事項を導入しないものであるということはできないから，本件補正は，出願当初明細書等に記載した事項の範囲内においてしたものであるということができない。
　
　３　まとめ
　本件補正は，特許法１７条の２第３項の規定に違反してされたものであるから，同法１５９条１項の規定において読み替えて準用する同法５３条１項の規定により却下すべきものである。
　よって，上記補正の却下の決定の結論のとおり決定する。
　
第３　本願発明について
　１　本願発明
　本件補正は，上記のとおり却下されたので，本件出願の請求項１〜請求項１７に係る発明は，平成３０年５月７日付け手続補正書によって補正された特許請求の範囲の請求項１〜請求項１７に記載された事項によって特定されるとおりのものであるところ，その請求項１に係る発明（以下「本願発明」という。）は，次のものである。
「　可変焦点光学器械であって，
　前面及び後面を備えた硬質の湾曲した透明な光学コンポーネントと，
　２つのキャビティを構成するように前記硬質光学コンポーネントの周囲に取り付けられた２枚の透明な伸張性メンブレンと，を有し，第１のキャビティは前記硬質光学コンポーネントと第１のメンブレンの間であり，第２のキャビティは前記第１のメンブレンと第２のメンブレンの間であり，
　前記各キャビティを満たす可変量の流体と，
　追加の流体を収容していて，少なくとも１つの前記キャビティと流体連通状態にある第１のリザーバとを有し，前記第１のリザーバは，力又は衝撃に応答して少なくとも１つの前記キャビティ内への流体の注入又は少なくとも１つの前記キャビティからの流体の抜き出しをするように構成され，
　追加の流体を収容していて，少なくとも１つの前記キャビティと流体連通状態にある第２のリザーバを有し，前記第２のリザーバは，力又は衝撃に応答して少なくとも１つの前記キャビティ内への流体の注入又は少なくとも１つの前記キャビティからの流体の抜き出しをするように構成され，
　前記硬質光学コンポーネントの前記前面及び前記硬質光学コンポーネントの前記後面は同一方向に湾曲され，
　前記前面と前記後面の交差部が前記硬質光学コンポーネントの周方向エッジであるように，前記前面の曲率半径は前記後面の曲率半径よりも小さい，可変焦点光学器械。」
　
　２　原査定の拒絶の理由
　本願発明に対する原査定の拒絶の理由は，概略，本願発明は，その優先権主張の日（以下「本件優先日」という。）前に日本国内又は外国において頒布された刊行物である引用文献１（特表２００８−５４４３１８号公報）に記載された発明及び引用文献２（特開平１０−２０６６０９号公報）に記載された技術，並びに，周知技術に基づいて，本件優先日前にその発明の属する技術の分野における通常の知識を有する者（以下「当業者」という。）が容易に発明をすることができたものであるから，特許法２９条２項の規定により特許を受けることができない，というものである。
　
　３　引用文献の記載及び引用発明等
　(1) 引用文献１の記載
　原査定の拒絶の理由において引用された引用文献１（特表２００８−５４４３１８号公報）は，本件優先日前に日本国内又は外国において頒布された刊行物であるところ，そこには，以下の記載がある。なお，下線は当合議体が付したものであり，引用発明の認定や判断等に活用した箇所を示す。
　ア　「【技術分野】
【０００２】
　本発明は，レンズ，特には膨張性レンズ（可膨張レンズ）に関する。
【背景技術】
【０００３】
　膨張性レンズは有用である。なぜなら，そのようなレンズは可変焦点距離を有するからである。こうしたレンズはまた，ズームレンズとしても使用可能である。
…(省略)…
【０００６】
　そのような膨張性レンズの抱える問題は，可撓性のメンブレンまたはフィルムにより形成される曲線がメンブレンの全領域にわたり一貫性を有していないことである。可撓性メンブレンのエッジをハウジング内にクランピングしなければならないので，メンブレンのエッジの近くのレンズの曲線は，メンブレンの中央のレンズの曲線と同一ではない。その結果として，レンズの有効使用可能口径は，可撓性メンブレンの実際のサイズよりもかなり小さい。
【０００７】
　さらに，流体は，レンズの最下部に向かって流動する傾向があり，その結果として，レンズの最下部の方向に膨出を引き起こすので，膨張性レンズはまた，重力による影響を受ける。そのような膨出は，レンズの全領域にわたり一貫性のない湾曲をもたらす。
…(省略)…
【発明の開示】
【発明が解決しようとする課題】
【０００９】
　したがって，改良された膨張性レンズの必要性がある。
【課題を解決するための手段】
【００１０】
　本発明の一態様によれば，中心領域の方向に漸次薄肉になる第１の可撓性壁と第２の壁とを含み，キャビティー内の流体の体積を制御することにより種々のレンズ形状を形成できるように流体を収容するためのキャビティーを第１の壁と第２の壁とにより画定しているレンズが提供される。
…(省略)…
【００５６】
　これ以降では，図面を参照しながら本発明の少数の実施形態について説明する。」
　
　イ　「【発明を実施するための最良の形態】
【００５７】
…(省略)…
【００６２】
１．　２つの可撓性壁を有するレンズ
　図８ａおよび８ｂは，本発明の一実施形態に係るレンズを示している。レンズは，中心領域の方向に薄肉になる第１の可撓性壁８０と，同様に中心領域の方向に薄肉になる第２の可撓性壁８２と，を含む。各可撓性壁８０，８２は，ウェーハの外周よりもウェーハの中心のほうが薄い厚さになるように好ましくはテーパーの付けられたウェーハである。可撓性壁の中心領域は，変位可能である。この実施形態では，壁８０，８２は，流体８４を収容するためのキャビティーを画定するように構成される。壁８０，８２は両方とも，光学レンズに使用するのに好適な材料で作製される。
【００６３】
　各可撓性壁８０，８２は，可変膨張が可能である光学的に透明な合成均一材料からなる伸縮性で柔軟性のあるさまざまな形態のディスクを含む構成要素で形成可能である。
本発明のこの実施形態および他の実施形態に係る可撓性壁は，レンズにより透過される放射線に対して透過性でありかつ実質的にデフォルト原位置への復帰をもたらしうる記憶を有する安定で均一で伸縮性のある材料から形成される。
…(省略)…
【００６７】
　
レンズのプロファイルに及ぼす重力の影響を低減させるべく，キャビティー内の流体８４の量は，好ましくは，最小限に抑えられる。これは，キャビティーの体積を最小限に抑えるように第１の壁８０と第２の壁８２との間の距離を減少させることにより行われる。
よりチキソトロピックな流体を使用する
より厚肉の可撓性壁を使用する
…(省略)…
【００８８】
　流体リザーバーは，壁により形成されたキャビティー内へのおよびキャビティーからの流体の連通を行えるように少なくとも１つのポートを介してレンズに接続されうる。システムが，少なくとも１つのポートを介して永続的に接続されたリザーバーとレンズキャビティーとを備えた閉回路の目立たない密封パッケージを形成するように，流体リザーバーを最終レンズアセンブリーに組み込むことが可能である。たとえば，流体リザーバーは，壁が収容されるバレルマウント内に収容可能である。
【００８９】
　
ポンプ，ピストン，プランジャー，従来のフォーカスバレル，またはリザーバーの外部に適用されてリザーバーからの流体の送出もしくはレンズキャビティーからの流体の吸入に使用可能な任意のフォースプロバイダーを用いて，リザーバーからキャビティーにまたはその逆の方向に流体８４を移動させることが可能である。
フォースプロバイダーは，キャビティー内への流体の送入およびキャビティーからの流体の送出によりレンズを膨張および収縮させるべく使用可能である。フォースプロバイダーはまた，減圧を行ってキャビティーの方向に可撓性壁を引き寄せるべく使用可能である。
…(省略)…
【０１２９】
　図２ａおよび２ｂは，本発明の他の実施形態に係るレンズを示している。
レンズ
中心領域の方向に薄肉になる可撓性壁２０と剛性メニスカス凸壁２２とを含
壁２２は，その外周よりもその中心のほうが厚肉であ
壁２０，２２は，流体２４を収容するためのキャビティーを画定
可撓性壁２０は，その第１の表面２６上に環状溝２５を備え
【０１３０】
　
壁２０，２２は，バレルマウント２１内に収容され
この実施形態および他の実施形態ではバレルマウントが開示されているが，壁を一体化するための他の機構，たとえば，結合または溶接なども実用に供しうることは，当業者には自明であろう。
流体２４は，バレルマウント２１を貫通して延在してキャビティー内に開口するポート２３を介して，キャビティー内に挿入されかつキャビティーから取り出され
ポート２３は，キャビティーと流体リザーバー
との間に流体連通を提供
キャビティー内の流体２４の体積を制御することにより，種々のレンズ形状を形成できるように可撓性壁２０を移動させる
【０１３１】
　図２ａでは，流体の量を制御することにより，可撓性壁２０は，剛性壁２２に最も近い第１の表面２６が凸面でありかつ剛性壁２２から最も離れた第２の表面２８が凹面であるように配置される。
【０１３２】
　図２ｂでは，流体の量を制御することにより，可撓性壁２０は，剛性壁２２に最も近い第１の表面２６が凸面でありかつ剛性壁１０から最も離れた第２の表面２８が凹面であるように配置される。
【０１３３】
　キャビティー内の流体２４の量を図２ａに示される量から図２ｂに示される量に変化させることにより，レンズの焦点屈折力は，より大きい正の値に変化する。
（当合議体注：図２ａのレンズと図２ｂのレンズを比較すると，屈折力は小さくなっている（図の形状を精確なものと理解するならば，正の値から負の値に変化する）と考えられるので，「より大きい正の値」は誤記である。）
…(省略)…
【０１６３】
　レンズとレンズの製造方法とレンズ用可撓性壁の製造方法とに関連する本発明の少数の実施形態について説明してきた。以上の開示に照らして，当業者には自明なことであろうが，本発明の範囲および趣旨から逸脱することなくそれらの実施形態に対して種々の変更および／または代替形態をなすことが可能である。」
　
　ウ　図２ａ，図2ｂ
　
　エ　図８ａ，図８ｂ
　
　(2) 引用発明
　引用文献１には，図２ａ，図２ｂ及びその説明（【０１２９】〜【０１３３】）から理解される「レンズ」として，次の発明が記載されている（以下「引用発明」という。）。なお，用語を統一して記載した。
「　中心領域の方向に薄肉になる可撓性壁２０と剛性メニスカス凸壁２２とを含むレンズであって，
　剛性メニスカス凸壁２２は，その外周よりもその中心のほうが厚肉であり， 
　可撓性壁２０及び剛性メニスカス凸壁２２は，流体２４を収容するためのキャビティーを画定し，可撓性壁２０は，その第１の表面２６上に環状溝２５を備え，可撓性壁２０及び剛性メニスカス凸壁２２は，バレルマウント２１内に収容され，
　流体２４は，バレルマウント２１を貫通して延在してキャビティー内に開口するポート２３を介して，キャビティー内に挿入されかつキャビティーから取り出され，ポート２３は，キャビティーと流体リザーバーとの間に流体連通を提供し，
　キャビティー内の流体２４の体積を制御することにより，種々のレンズ形状を形成できるように可撓性壁２０を移動させる，
　レンズ。」
　
　(3) 引用文献２の記載
　原査定の拒絶の理由において引用された引用文献２（特開平１０−２０６６０９号公報）は，本件優先日前に日本国内又は外国において頒布された刊行物であるところ，そこには，以下の記載がある。なお，下線は当合議体が付したものであり，判断において活用した箇所を示す。
　ア　「【発明の詳細な説明】
【０００１】
【発明の属する技術分野】この発明は，屈折異常，調節異常を矯正するための眼鏡その他の光学装置又はそれに使用するレンズに関する。
…(省略)…
【０００７】
【発明が解決しようとする課題】しかしながら，従来の老眼鏡においては，レンズの組材はガラスや硬いプラスチックで，弾力性がなく，屈折力を変えることができないため不便なものである。
…(省略)…
【０００９】
【課題を解決するための手段】本発明は，請求項１〜２３のいずれかに記載されたレンズ，眼鏡，又は光学装置を要旨としている。
【００１０】
【発明の実施の形態】本発明は，光学装置（たとえばカメラ，眼鏡，内視鏡等の医療光学装置）や，それに使用するレンズを改良したものである。
【００１１】本発明の一例は，レンズをつくるための柔軟な嚢と，嚢を満たす流体と，流体を貯留するタンクと，タンクおよび嚢間で流体を移送するチューブを備え，タンク内の流体を嚢に流入させたり，嚢内の流体をタンクに流出させたりして，嚢の形状を変形させてレンズの屈折率を変化させる構成にしたことを特徴とする流体ピント調節付き光学装置である。好ましくは，嚢が透明体によってカバーされており，タンクが蛇腹状に構成されていて，プレッサーがタンクを押圧してタンクの容量を変化させる。透明体は各種形状のフレームに設置するのが望ましい。
…(省略)…
【００２７】そのようなレンズにおいて，透明体をポリジエチレングリコールビスアリルカーボネートなどのように硬く透明で傷つきにくく，薬品に侵されないプラスチックによって形成し，その透明体の中に流体を入れ，流体の量の変化によりレンズの焦点を調節する。そして，透明体を凸レンズにしたり，凹レンズにしたり，乱視のための円柱レンズにしたりする。
【００２８】かかるレンズを眼鏡，カメラ，内視鏡又は医療光学機器その他の光学機械に使用する。」
　
　イ　「【００２９】
【実施例】以下，図面を参照して，本発明の流体焦点調節レンズ付老眼鏡の実施例を説明する。
…(省略)…
【００３６】また図１３に示すように，流体焦点調節片凸レンズの前嚢６０の周辺部７７を蛇腹状にすると，流体５３が嚢内に注入したとき，前嚢の蛇腹状周辺部７７がのびて強い片凸レンズになる。
図１４に示すように，強い屈折力を有する流体焦点調節片凸レンズをつくることができるが，嚢腔は中央にいくほど薄く弾力性に富む前嚢６０と，中央にいくほど薄く弾力性に富む嚢内前嚢８２に囲まれてできる周辺腔８０と嚢内前嚢８２と後嚢６９に囲まれてできる中央腔８１からなり，後嚢６９は硬く厚くできており，前嚢６０と嚢内前嚢８２と後嚢６９は周辺で一体となっており，周辺腔８０にはタンク８４より所定の屈折率の流体５３が注入され，中央腔８１にはタンク８５より，タンク８３よりも強い屈折率を有する流体７５が注入され，一層強い屈折力を有する片凸レンズとなるようにしたものである。
【００３７】図１５に示すように，中央にいくほど薄く弾力性に富む前嚢６０，中央にいくほど薄く弾力性に富む後嚢６１，中央にいくほど薄く弾力性に富む嚢内前嚢８２，中央にいくほど薄く弾力性に富む嚢内後嚢８３からなる流体焦点調節両凸レンズの場合も同様に，前嚢６０，後嚢６１，嚢内前嚢８２，嚢内後嚢８３は周辺で一体となっており，タンク８４より周辺腔８０に所定の屈折率を有する流体５３が注入され，嚢内前嚢８２と嚢内後嚢８３に囲まれてできる中央腔８１にさらに強い屈折率を有する流体７５がタンク８５から注入され，一層強い屈折力を有する両凸レンズが得られるようになっている。
…(省略)…
【００４１】…(省略)…図１９に示すように，流体焦点調節両凹レンズもつくることができるが，辺縁部９２を蛇腹状にし，後嚢９１も前嚢９０と同様に中央にいくほど薄く，前嚢９０と後嚢９１と辺縁部９２から嚢腔９４がつくられ，タンク５２の中の流体５３がチューブ５４を介して注入することにより蛇腹状の辺縁部がのびて強い凹レンズになる。変則的な形をした流体焦点調節レンズも同様な原理でつくることができる。
さらに透明体５６を凸レンズにしたり，凹レンズにしたり，乱視を補正するための円柱レンズにして，嚢５１と流体５３からなる流体焦点調節レンズで補正できない部分を補正し，乱視，強度近視，強度遠視の人でも使用できる流体焦点調節レンズを作ることができる。
（当合議体注：符号「５１」等は，図７及び図８のものである。）
…(省略)…
【００４５】なお，本発明における流体焦点調節レンズは前述の実施例に限定されない。たとえば流体焦点調節凹レンズ，非球面設計による歪曲収差を補正した流体焦点調節レンズ，カメラや内視鏡や医療光学機器などの流体焦点調節レンズとしても応用可能である。」
　
　ウ　図１４
　
　エ　図１５
　
　オ　図１９
　
　４　対比及び判断
　(1) 対比
　本願発明と引用発明を対比すると，以下のとおりとなる。
　ア　可変焦点光学器械
　引用発明の「レンズ」は，「キャビティー内の流体２４の体積を制御することにより，種々のレンズ形状を形成できるように可撓性壁２０を移動させる」ものである。
　上記の構成からみて，引用発明の「レンズ」は，焦点が可変のものである。また，引用発明の「レンズ」は，光学器械に分類可能なものである。
　そうしてみると，引用発明の「レンズ」は，本願発明の「可変焦点光学器械」に相当する。
　
　イ　光学コンポーネント
　引用発明は，「中心領域の方向に薄肉になる可撓性壁２０と剛性メニスカス凸壁２２とを含むレンズであって」，「剛性メニスカス凸壁２２は，その外周よりもその中心のほうが厚肉であ」る。
　上記の構成，特に「剛性」及び「メニスカス」という用語からみて，引用発明の「剛性メニスカス凸壁２２」は，前面及び後面を備えた硬質の湾曲したものであり，その前面及び後面は同一方向に湾曲されている。また，「レンズ」において要求される機能からみて，引用発明の「剛性メニスカス凸壁２２」は，透明な光学コンポーネントといえる。さらに，引用発明の「剛性メニスカス凸壁２２」の外周と中心の厚さの違いからみて，引用発明の「剛性メニスカス凸壁」は正のメニスカスレンズ（前面の曲率半径が後面の曲率半径よりも小さく，また，前面と後面の交差部が「剛性メニスカス凸壁」の周方向エッジとなる形状）である。
（当合議体注：これらの事項は，図２ａ及び図２ｂからも，看取ないし理解される事項である。また，「前面」と「後面」の取り方は，「レンズ」の使い方ないし定義の問題にすぎない。）
　そうしてみると，引用発明の「剛性メニスカス凸壁２２」は，本願発明の「前面及び後面を備えた硬質の湾曲した透明な」とされる，「光学コンポーネント」に相当する。また，引用発明の「剛性メニスカス凸壁２２」は，本願発明の「光学コンポーネント」における，「前記硬質光学コンポーネントの前記前面及び前記硬質光学コンポーネントの前記後面は同一方向に湾曲され」及び「前記前面と前記後面の交差部が前記硬質光学コンポーネントの周方向エッジであるように，前記前面の曲率半径は前記後面の曲率半径よりも小さい」という要件を満たす。
　
　ウ　伸張性メンブレン
　引用発明の「レンズ」は，「キャビティー内の流体２４の体積を制御することにより，種々のレンズ形状を形成できるように可撓性壁２０を移動させる」ものであり，また，「可撓性壁２０及び剛性メニスカス凸壁２２は，流体２４を収容するためのキャビティーを画定し」，「可撓性壁２０及び剛性メニスカス凸壁２２は，バレルマウント２１内に収容され」ている。
　上記の構成及び「可撓性」という用語からみて，引用発明の「可撓性壁２０」は，キャビティーを構成するように取り付けられた，伸張性のものといえる。また，上記の構成から理解される機能からみて，引用発明の「可撓性壁２０」は，透明な，膜状のものといえる。
（当合議体注：これらの事項は，図２ａ及び図２ｂからも，看取ないし理解される事項である。）
　そうしてみると，引用発明の「可撓性壁２０」は，本願発明の「メンブレン」に相当する。また，両者は，「キャビティを構成するように」「取り付けられた」「透明な」及び「伸張性」という点で共通する。
　
　エ　流体
　引用発明の「流体２４は，バレルマウント２１を貫通して延在してキャビティー内に開口するポート２３を介して，キャビティー内に挿入されかつキャビティーから取り出され」る。
　そうしてみると，引用発明の「流体２４」（のうち，「キャビティー」の中にある分）は，本願発明の「キャビティを満たす可変量の」とされる「流体」に相当する。
　
　オ　リザーバ
　引用発明の「流体２４は，バレルマウント２１を貫通して延在してキャビティー内に開口するポート２３を介して，キャビティー内に挿入されかつキャビティーから取り出され，ポート２３は，キャビティーと流体リザーバーとの間に流体連通を提供し」ている。また，引用発明の「レンズ」は，「キャビティー内の流体２４の体積を制御することにより，種々のレンズ形状を形成できるように可撓性壁２０を移動させる」ものである。
　上記の構成からみて，引用発明の「流体リザーバー」は，「キャビティー」の中にない分の「流体２４」を収容しているものであり，また，キャビティーと流体連通状態にあり，かつ，「キャビティー」内への「流体２４」の注入又は「キャビティー」からの「流体２４」の抜き出しをするように構成されているといえる。また，このような動作が「流体２４」に対する圧力によって行われることは自明である（当合議体注：引用文献１の【００８９】の記載からも理解される事項である。）。
　そうしてみると，引用発明の「流体リザーバー」は，本願発明の「リザーバ」に相当する。また，両者は，「追加の流体を収容していて」，「キャビティと流体連通状態にある」，「力又は衝撃に応答して」「キャビティ内への流体の注入又は」「キャビティからの流体の抜き出しをするように構成され」という点で共通する。
　
　カ　可変焦点光学器械
　以上ア〜オの対比結果，並びに，引用発明及び本願発明の全体構成からみて，引用発明の「レンズ」と本願発明の「可変焦点光学器械」は，「光学コンポーネントと」，「メンブレンと，を有し」，「流体と」，「リザーバとを有し」ている点で共通する。
　
　(2) 一致点及び相違点
　ア　一致点
　本願発明と引用発明は，次の構成で一致する。
「　可変焦点光学器械であって，
　前面及び後面を備えた硬質の湾曲した透明な光学コンポーネントと，
　キャビティを構成するように取り付けられた透明な伸張性メンブレンと，を有し，
　前記キャビティを満たす可変量の流体と，
　追加の流体を収容していて，前記キャビティと流体連通状態にあるリザーバとを有し，前記リザーバは，力又は衝撃に応答して前記キャビティ内への流体の注入又は前記キャビティからの流体の抜き出しをするように構成され，
　前記硬質光学コンポーネントの前記前面及び前記硬質光学コンポーネントの前記後面は同一方向に湾曲され，
　前記前面と前記後面の交差部が前記硬質光学コンポーネントの周方向エッジであるように，前記前面の曲率半径は前記後面の曲率半径よりも小さい，可変焦点光学器械。」
　
　イ　相違点
　本願発明と引用発明は，以下の点で相違する。
（相違点１）
　「メンブレン」が，本願発明は，「前記硬質光学コンポーネントの周囲に」取り付けられたものであるのに対して，引用発明は，「バレルマウント２１内に収容され」るものである点。
　
（相違点２）
　「キャビティ」及び「リザーバ」が，本願発明は，それぞれ２つであるのに対して，引用発明は，それぞれ１つであり，これに伴い，本願発明の構成のうち，以下の下線を付した構成において相違する点。
「　可変焦点光学器械であって，
　前面及び後面を備えた硬質の湾曲した透明な光学コンポーネントと，
　
２つの
２枚の
第１のキャビティは前記硬質光学コンポーネントと第１のメンブレンの間であり，第２のキャビティは前記第１のメンブレンと第２のメンブレンの間であり，
　前記各キャビティを満たす可変量の流体と，
　追加の流体を収容していて，
少なくとも１つの
第１の
第１の
少なくとも１つの
少なくとも１つの
　追加の流体を収容していて，少なくとも１つの前記キャビティと流体連通状態にある第２のリザーバを有し，前記第２のリザーバは，力又は衝撃に応答して少なくとも１つの前記キャビティ内への流体の注入又は少なくとも１つの前記キャビティからの流体の抜き出しをするように構成され，
　前記硬質光学コンポーネントの前記前面及び前記硬質光学コンポーネントの前記後面は同一方向に湾曲され，
　前記前面と前記後面の交差部が前記硬質光学コンポーネントの周方向エッジであるように，前記前面の曲率半径は前記後面の曲率半径よりも小さい，可変焦点光学器械。」
　
　(3) 判断
　ア　相違点１について
　引用文献１の【０１３０】には，「この実施形態および他の実施形態ではバレルマウントが開示されているが，壁を一体化するための他の機構，たとえば，結合または溶接なども実用に供しうることは，当業者には自明であろう。」と記載されている。そして，「可変焦点レンズ」の技術分野において，剛性部材と可撓性部材の接続手段として，両者を直接，接続することは，周知技術である（例えば，原査定の拒絶の理由において引用された，特開平２−１６６４０１号公報の第６図及びその説明（２頁右上欄８〜１２行），同じく米国特許出願公開第２００３／００９５３３６号明細書の図１及びその説明（[0045]），特表２００９−５２４８３８号公報の図４及びその説明（【００１６】及び【００２３】）を参照。）。
　引用発明において，相違点１に係る本願発明の構成を採用することは，引用文献１の記載が示唆する範囲内の，周知技術を心得た当業者における構成の変更にすぎない。
　
　イ　相違点２について
　引用文献１の【００６７】には，「レンズのプロファイルに及ぼす重力の影響を低減させるべく，キャビティー内の流体８４の量は，好ましくは，最小限に抑えられる。これは，キャビティーの体積を最小限に抑えるように第１の壁８０と第２の壁８２との間の距離を減少させることにより行われる。」と記載されている。ただし，引用発明において，キャビティー内の流体の量を最小限に抑えるようにした場合には，屈折力（の変化）が不十分となってしまう。
　ここで，引用文献１の【００６７】には，このような問題の解決方法として，「チキソトロピックな流体」や「より厚肉の可撓性壁を使用すること」が挙げられているが，当業者ならば，引用文献２の図１４及びその説明（【００３６】）から理解されるような構成も心得ている。
　すなわち，当業者であれば，引用文献２の図１４及び【００３６】の記載から理解される，「強い屈折力を有する流体焦点調節片凸レンズであって，嚢腔は中央にいくほど薄く弾力性に富む前嚢６０と，中央にいくほど薄く弾力性に富む嚢内前嚢８２に囲まれてできる周辺腔８０と嚢内前嚢８２と後嚢６９に囲まれてできる中央腔８１からなり，後嚢６９は硬く厚くできており，前嚢６０と嚢内前嚢８２と後嚢６９は周辺で一体となっており，周辺腔８０にはタンク８４より所定の屈折率の流体５３が注入され，中央腔８１にはタンク８５より，タンク８３よりも強い屈折率を有する流体７５が注入され，一層強い屈折力を有する片凸レンズ。」の技術を心得ている（以下「引用文献２記載技術」という。）。そして，引用文献２記載技術に接した当業者ならば，引用発明の「可撓性壁２０」の後方に，第２の可撓性壁を設けて第２のキャビティーを画定し，より高い屈折率を有する第２の流体を挿入・取り出すための第２の流体リサーバーを設けると，引用発明の「レンズ」を，「レンズのプロファイルに及ぼす重力の影響を低減させ」かつ強い屈折力をえることができることに気付くといえる。また，このようにしてなる引用発明は，相違点２に係る本願発明の構成を具備したものとなる。
（当合議体注：引用発明の「剛性メニスカス凸壁２２」の前方にキャビティーを設けたのでは，屈折力が相殺されることになるので，当業者は，この態様を採用することはない。また，引用文献２の【００３６】には，「前嚢６０と嚢内前嚢８２と後嚢６９は周辺で一体となっており」と記載されているから，この判断は，相違点１についての判断と矛盾することもない。）
　引用発明において，相違点２に係る本願発明の構成を採用することは，引用文献２に記載された技術を心得た当業者が容易に発明をすることができた事項である。
　
　(4) 本願発明の効果について
　本件出願の明細書には，本願発明の効果に関する明示的な記載がない。
　ただし，本件出願の【００１２】には，「本発明の目的によれば，消費者，オフサルミック用途向きの液体充填レンズが提供される。」との記載があるから，本願発明の効果は，この目的を達することと理解される。
　しかしながら，このような効果は引用発明も奏する効果である。
　なお，本願発明は，「オフサルミック用途向きの」という構成は具備しないから，この点は除いて検討されるべきであるが，引用文献１の【００８１】には，「検眼及び眼工学」の用途も挙げられている。
　
　(5) 請求人の主張について
　審判請求人は，審判請求書において，引用例２は，硬質光学コンポーネントの前面及び後面が同一方向に湾曲され，前面の曲率半径が後面の曲率半径よりも小さくなるように湾曲した，本願発明のような硬質光学コンポーネントに，第２の伸張性のメンブレンを取り付けるように当業者を導くことはないと主張する（平成３１年１月２９日付け手続補正書の７頁の「ｓ．」）。
　しかしながら，引用文献２には，【図１５】のような両凸レンズや【図１９】のような両凹レンズが開示され，さらに，【００４１】には，「透明体５６を凸レンズにしたり，凹レンズにしたり，乱視を補正するための円柱レンズにして，嚢５１と流体５３からなる流体焦点調節レンズで補正できない部分を補正し，乱視，強度近視，強度遠視の人でも使用できる流体焦点調節レンズを作ることができる。」とも記載されている。
　このような引用文献２の記載をも心得た当業者ならば，引用発明の「レンズ」の形状を前提として発明をすること，すなわち，引用文献２記載技術から，引用発明と組み合わせることができる，２つの嚢腔及び２つのタンクの構成を取りだして，これを引用発明と組み合わせることができたと認められる。
　したがって，請求人の主張は採用できない。
　
　(6) 小括
　本願発明は，引用文献１に記載された発明，引用文献２に記載された技術及び周知技術に基づいて，当業者が容易に発明をすることができたものであるから，本願発明は特許法２９条２項の規定により特許を受けることができない。
　したがって，本件出願は拒絶されるべきである。
　
　５　本件補正後の請求項１に係る発明について
　当合議体は，本件補正は却下されるべきと判断したところであるが，平成３１年４月２６日付け上申書において，審判請求人が，本件補正後の発明に基づく審理を望んでいることに鑑みて，本件補正を却下しない場合についても検討する。
　本件補正を却下しない場合における，本件出願の請求項１に係る発明（以下「本件補正後発明１」という。）は，平成３０年１２月２０日付け手続補正書によって補正された特許請求の範囲の請求項１に記載された事項によって特定されるとおりのものである（前記「第２」［理由］１の【請求項１】参照。）。
　すなわち，本件補正後発明１と本願発明は，同一である。
　そうしてみると，本願発明と同じ理由により，本件補正後発明１も，引用文献１に記載された発明，引用文献２に記載された技術及び周知技術に基づいて，当業者が容易に発明をすることができたものであるから，本件補正後発明１は特許法２９条２項の規定により特許を受けることができない。
　したがって，いずれにせよ，本件出願は拒絶されるべきである。
　
第４　まとめ
　以上のとおり，本件出願の請求項１に係る発明は，特許法２９条２項の規定により特許を受けることができないから，他の請求項に係る発明について検討するまでもなく，本件出願は拒絶されるべきである。
　よって，結論のとおり審決する。